(57)【要約】【課題】加熱室内で油切りが良好に行われ、かりっとした食感にするとともに脂質が少なくヘルシーに仕上げることができる連続式加熱調理装置を提供する。【解決手段】連続式加熱調理装置１は、油槽２内で調理油にて食材Ａを加熱調理する第１加熱調理手段３と、遠赤外線を利用して加熱室11内で食材Ａを加熱調理する第２加熱調理手段12とを備える。食材Ａが油槽２内および加熱室11内を順次通過するように食材Ａを搬送する搬送手段30を設ける。搬送手段30のうち第１加熱調理手段３と第２加熱調理手段12との間に位置する部分を覆って保温室31を形成する保温手段32を設ける。【選択図】図１
2008048755.tif 000002
【特許請求の範囲】
【請求項１】
油槽内で調理油にて食材を加熱調理する第１加熱調理手段と、
遠赤外線を利用して加熱室内で食材を加熱調理する第２加熱調理手段と、
食材が前記油槽内および前記加熱室内を順次通過するように食材を搬送する搬送手段と、
この搬送手段のうち前記第１加熱調理手段と前記第２加熱調理手段との間に位置する部分を覆って保温室を形成する保温手段と
を備えることを特徴とする連続式加熱調理装置。
【請求項２】
保温手段は、
搬送手段の上方に位置する上板部と、
前記搬送手段の左右側方に位置する左右の側板部と、
前記搬送手段の下方に位置する下板部と、
前記上板部および前記左右の側板部を覆うカバー部とを有する
ことを特徴とする請求項１記載の連続式加熱調理装置。
【請求項３】
加熱室内の熱気が保温室内に送り込まれるようになっている
ことを特徴とする請求項１または２記載の連続式加熱調理装置。
【発明の詳細な説明】
【技術分野】
【０００１】
本発明は、加熱室内で油切りが良好に行われ、かりっとした食感にするとともに脂質が少なくヘルシーに仕上げることができる連続式加熱調理装置に関するものである。
【背景技術】
【０００２】
従来、例えば揚げ鍋コンベヤの搬送終端部に接続して揚げ物搬送用の網ベルトコンベヤが設けられ、網ベルトコンベヤの下方には回収タンクに向って先下り勾配となった油受樋が設けられ、網ベルトコンベヤの上側には赤外線ランプ等の加熱器を複数装備した加熱持続キャビネットが設けられ、揚げ鍋コンベヤにて繰出された食材である揚げ物の加熱温度を持続させて油切りが行われるようにした連続式加熱調理装置が知られている（例えば、特許文献１参照）。
【特許文献１】実開昭６０−５７３３４号公報
【発明の開示】
【発明が解決しようとする課題】
【０００３】
しかしながら、上記従来の連続式加熱調理装置では、揚げ物等の食材が、油槽内の調理油からでた後、加熱持続キャビネットの加熱室内に入る前に、外気に触れるため、食材の表面に付着した調理油が冷えて粘度が高くなり、その結果、後に、加熱室内において赤外線ランプ等の加熱器で加熱しても、油切りの悪いものとなるおそれがあった。
【０００４】
本発明は、このような点に鑑みなされたもので、加熱室内で油切りが良好に行われ、かりっとした食感にするとともに脂質が少なくヘルシーに仕上げることができる連続式加熱調理装置を提供することを目的とする。
【課題を解決するための手段】
【０００５】
請求項１記載の連続式加熱調理装置は、油槽内で調理油にて食材を加熱調理する第１加熱調理手段と、遠赤外線を利用して加熱室内で食材を加熱調理する第２加熱調理手段と、食材が前記油槽内および前記加熱室内を順次通過するように食材を搬送する搬送手段と、この搬送手段のうち前記第１加熱調理手段と前記第２加熱調理手段との間に位置する部分を覆って保温室を形成する保温手段とを備えるものである。
【０００６】
請求項２記載の連続式加熱調理装置は、請求項１記載の連続式加熱調理装置において、保温手段は、搬送手段の上方に位置する上板部と、前記搬送手段の左右側方に位置する左右の側板部と、前記搬送手段の下方に位置する下板部と、前記上板部および前記左右の側板部を覆うカバー部とを有するものである。
【０００７】
請求項３記載の連続式加熱調理装置は、請求項１または２記載の連続式加熱調理装置において、加熱室内の熱気が保温室内に送り込まれるようになっているものである。
【発明の効果】
【０００８】
請求項１に係る発明によれば、搬送手段のうち第１加熱調理手段と第２加熱調理手段との間に位置する部分を覆って保温室を形成する保温手段を備えるため、加熱室内で油切りが良好に行われ、かりっとした食感にするとともに脂質が少なくヘルシーに仕上げることができる。
【０００９】
請求項２に係る発明によれば、保温手段は、搬送手段の上方に位置する上板部と、搬送手段の左右側方に位置する左右の側板部と、搬送手段の下方に位置する下板部と、上板部および左右の側板部を覆うカバー部とを有するため、２重構造となり、保温手段の保温性を高めることができる。
【００１０】
請求項３に係る発明によれば、加熱室内の熱気が保温室内に送り込まれるようになっているため、保温室の室内温度を容易に所望の温度にできる。
【発明を実施するための最良の形態】
【００１１】
本発明の連続式加熱調理装置の一実施の形態を図面を参照して説明する。
【００１２】
図１において、１は連続式加熱調理装置で、この連続式加熱調理装置１は、連続式油揚装置（フライヤー）と連続式遠赤加熱装置（オーブン）とが組み合させるようにして構成されたもので、食材（例えばコロッケ、唐揚用の鶏肉等）Ａを搬送しながら連続的に加熱調理する調理機である。
【００１３】
連続式加熱調理装置１は、油槽２内で調理油にて食材Ａを加熱調理する第１加熱調理手段３を備えている。
【００１４】
第１加熱調理手段３の油槽２内に貯留された調理油は、油槽２内の下部に複数並設された電気ヒータ等の油加熱部４からの熱で加熱される。油槽２内の下部には、ネット状の送り面部５で投入後の食材Ａを搬送する第１送りコンベヤ６が配設されている。第１送りコンベヤ６の上方には、ネット状の押え面部７で食材Ａが調理油の油表面に浮き上がることを防止する押えコンベヤ８が配設されている。
【００１５】
第１送りコンベヤ６は、油槽２内の調理油による加熱調理後の食材Ａを斜め上方に向けて搬送して調理油からだす傾斜部6aを搬送終端側に有し、この傾斜部6aは搬送終端ほど上方に位置するように水平方向に対してやや傾斜している。押えコンベヤ８は、第１送りコンベヤ６の傾斜部6aに対応して形成された傾斜部8aを搬送終端側に有している。これら上下の第１送りコンベヤ６および押えコンベヤ８は、モータ等の搬送用駆動源９からの動力で作動する。なお、油槽２には、調理油を排出するための排油口10が設けられている。
【００１６】
また、連続式加熱調理装置１は、遠赤外線を利用して加熱室11内において調理油による加熱調理後の食材Ａを加熱調理する第２加熱調理手段12を備えている。
【００１７】
第２加熱調理手段12の加熱室11内には、搬送中の食材Ａ全体に向けて遠赤外線を放射する遠赤外線ヒータ等の遠赤外線加熱部13が加熱室11内の上部および下部にそれぞれ配設されている。
【００１８】
その加熱室11内には、第１送りコンベヤ６の傾斜部6aから搬出される食材Ａをネット状の送り面部14でシュート16を介して受け取って搬送する第２送りコンベヤ15が配設されている。この第２送りコンベヤ15はモータ等の搬送用駆動源17からの動力で作動する。第２送りコンベヤ15の搬送始端部は加熱室11の食材入口部21から加熱室11外に延出し、第２送りコンベヤ15の搬送始端部と第１送りコンベヤ６の傾斜部6aの搬送終端部との間にシュート16が配設されている。第２送りコンベヤ15の搬送終端部は加熱室11の食材出口部22から加熱室11外に延出している。加熱室11の食材出口部22の開口高さは、昇降可能な開口高さ調整手段である出口調整板23にて調整可能となっている。
【００１９】
加熱室11の上部には、開閉可能な排気口部25が設けられている。加熱室11内の熱気温度が２００度を越えると食材Ａの表面に焦げが生じやすくなるが、加熱室11内の熱気温度が２００度を越えないように遠赤外線加熱部13の加熱を弱めると遠赤外線の放射も弱まることから、遠赤外線の放射伝熱によって効率よく食材Ａの温度を上昇させて行う加熱調理と食材Ａの表面に付着している油切りが不十分となる。このことから、遠赤外線加熱部13の加熱を弱めることなく、加熱室11内の熱気温度を必要以上に上げないために、加熱室11の上部に上方に向って開口する排気口部25が設けられている。また、加熱室11内には給水口26から必要に応じて水が供給され、加熱室11内の水は排水口27から排出される。加熱室11の前面開口は開閉扉28にて開閉され、この開閉扉28には点検窓29が設けられている。
【００２０】
なお、第１送りコンベヤ６、押えコンベヤ８、第２送りコンベヤ15およびシュート16等にて、食材Ａが油槽２内および加熱室11内を順次通過するように食材Ａを搬送する搬送手段30が構成されている。
【００２１】
また、連続式加熱調理装置１は、食材Ａを搬送する搬送手段30のうち、搬送上流側の第１加熱調理手段３と搬送下流側の第２加熱調理手段12との間に位置する部分、すなわち例えば第１送りコンベヤ６の傾斜部6aおよび押えコンベヤ８の傾斜部8aを上下および左右両側方から覆って、油槽２内の調理油からでた食材Ａが加熱室11内に入る前に外気に触れるのを防止して食材Ａの表面温度の低下を抑制する保温室31を形成する保温手段32を備えている。
【００２２】
保温手段32は、第１送りコンベヤ６の傾斜部6aの上方にその傾斜部6aに対応して傾斜状に位置する上板部33と、第１送りコンベヤ６の傾斜部6aおよび押えコンベヤ８の傾斜部8aの左右側方に位置する左右の側板部34と、第１送りコンベヤ６の傾斜部6aの下方にその傾斜部6aに対応して傾斜状に位置する下板部35と、上板部33および左右の側板部34を外側から覆うカバー部（保温カバー）36とを有している。
【００２３】
上板部33は、例えば断熱材が内部に充填された断熱板にて構成されている。カバー部36は、下方開口状の断面略コ字状に形成されたもので、第１加熱調理手段３の機枠部3aと第２加熱調理手段12の機枠部12aとの間に脱着可能に装着されている。カバー部36は、例えば傾斜状の上板37と、上板37の両側縁部から下方に向って突出する左右の側板38と、上板37の上面に突設された取手39とを有している。
【００２４】
なお、保温室31は、上板部33と左右の側板部34と下板部35とにて形成されており、保温室31の入口は油槽２内と連通し、保温室31の出口は加熱室11の食材入口部21と連通している。保温室31の底面を形成する傾斜状の下板部35の下端は、油槽２内の調理油の油表面下に位置する。
【００２５】
また、第２加熱調理手段12の加熱室11内の熱気が保温手段32の保温室31内に送り込まれるようになっている。すなわち例えば加熱室11の食材出口部22の開口高さが出口調整板23によって加熱室11の食材入口部21の開口高さより低くなるように設定されることで、開口している食材出口部22および食材入口部21の両方から加熱室11外へ流出しようとする加熱室11内の熱気が加熱室11の食材入口部21を通って保温室31内に優先的に送り込まれる。なお、図１中、41は油加熱部４、遠赤外線加熱部13および搬送用駆動源９，17等を制御する制御手段である。
【００２６】
次に、上記連続式加熱調理装置１を使用して食材Ａを調理する場合について説明する。
【００２７】
食材Ａを第１加熱調理手段３の油槽２内に貯留された調理油（油温は例えば約１８０度）の中に投入すると、食材Ａは、油槽２内において、第１送りコンベヤ６の送り面部５と押えコンベヤ８の押え面部７とで上下から挟持された状態で搬送されながら、調理油にて加熱調理される。
【００２８】
次いで、食材Ａは、保温室31（室内温度は例えば約１７０〜１８０度）内において、第１送りコンベヤ６の傾斜部6aにて斜め上方に搬送されることによって調理油の中からだされるが、保温室31の室内温度が油槽２内の調理油の油温と略同じであることから、食材Ａの表面に付着している調理油は、冷えて粘度を増すことなく、自然滴下しながら、次の加熱室11側に向けて搬送される。
【００２９】
食材Ａは、第１送りコンベヤ６の傾斜部6aの搬送終端から搬出されると、シュート16上を滑り落ちて第２送りコンベヤ15の送り面部14上に載置され、食材入口部21から加熱室11内に供給される。
【００３０】
そして、第２加熱調理手段12の加熱室11（室内温度は例えば約２００〜２２０度）内では、油調理後の食材Ａは、第２送りコンベヤ15の送り面部14にて搬送されながら上下の遠赤外線加熱部13からの遠赤外線の放射伝熱によって効率良く加熱調理されるとともに、食材Ａの表面に付着している余分な油分が更に滴下して除去される。こうして調理された食材Ａ（調理物）は、第２送りコンベヤ15にて食材出口部22から加熱室11外へ搬出される。
【００３１】
このような連続式加熱調理装置１によれば、搬送手段30のうち第１加熱調理手段３と第２加熱調理手段12との間に位置する部分を覆って保温室31を形成する保温手段32を備えるため、食材Ａが調理油からでた後、加熱室11内に入る前に、外気に触れて冷やされることなく、食材Ａを所望温度のまま加熱室11内に供給することができ、その結果、食材Ａに対して加熱室11内において遠赤外線による加熱によって油切りが良好に行われ、ヘルシーなかりっとした食感のものに仕上げることができる。
【００３２】
また、保温手段32は、搬送手段30の上方に位置する上板部33と、搬送手段30の左右側方に位置する左右の側板部34と、搬送手段30の下方に位置する下板部35と、上板部33および左右の側板部34を覆うカバー部36とを有するため、２重構造となり、保温手段32の保温性を高めることができる。
【００３３】
さらに、加熱室11内の熱気が保温室31内に送り込まれるようになっているため、保温室31の室内温度を容易に所望の温度にできる。
【００３４】
また、調理油にて加熱調理した食材Ａを連続して遠赤外線で加熱調理することから、油槽２内での調理油による加熱調理時間の短縮が可能となり、装置としての油槽２をコンパクト化でき、調理油の使用量を抑えることができる。
【００３５】
なお、図５に示すように、加熱室11内の上部付近と保温室31とを連通して加熱室11内の上部に充満している熱気を率先して保温室31内に送り込む熱気供給部である連通孔（供給管）44を第２加熱調理手段12の機枠部12aに設けて保温室31の室内温度を容易に上昇できるようにしてよく、またその連通孔44から送り込まれる熱気量を昇降可能な調整板45にて調整することで保温室31の室内温度を自由に変更できるようにしてもよい。このような構成は、加熱室11内の上部と食材入口部21との距離が大きい場合や、食材出口部22の開口高さと食材入口部21の開口高さとが略同じである場合等に、特に有効である。
【００３６】
また、例えば図示しないが、保温室31の室内温度の安定化のために、保温室31内に電気ヒータ等の加熱手段を設けるようにしてもよい。
【００３７】
また、第１送りコンベヤ６の傾斜部6aの搬送終端部と第２送りコンベヤ15の搬送始端部との間にシュート16が配設された構成には限定されず、食材Ａが第１送りコンベヤ６の搬送終端部から第２送りコンベヤ15の搬送始端部に直接乗り移るようにしてもよい。
【図面の簡単な説明】
【００３８】
【図１】本発明の一実施の形態に係る連続式加熱調理装置の正面視断面図である。
【図２】同上連続式加熱調理装置の側面視断面図である。
【図３】同上連続式加熱調理装置の正面図である。
【図４】同上連続式加熱調理装置の平面図である。
【図５】本発明の他の実施の形態に係る連続式加熱調理装置の正面視断面図である。
【符号の説明】
【００３９】
１    連続式加熱調理装置
２    油槽
３    第１加熱調理手段
11    加熱室
12    第２加熱調理手段
30    搬送手段
31    保温室
32    保温手段
33    上板部
34    側板部
35    下板部
36    カバー部
Ａ    食材
【図１】
2008048755.tif 000003
【図２】
2008048755.tif 000004
【図３】
2008048755.tif 000005
【図４】
2008048755.tif 000006
【図５】
2008048755.tif 000007